(57)【特許請求の範囲】
【請求項１】
一つの昇降路内に複数の乗かごと、これら乗かごと対をなす複数のつり合いおもりとを昇降させるように構成した並設エレベーター装置において、隣接する乗かごのつり合いおもり用の昇降通路を昇降路の同じ側に間隔をおいて設置し、かつ前記複数の乗かごの運転を夫々制御する制御装置のうち隣接する乗かご用の制御装置を、前記間隔をおいて配置したつり合いおもり用の昇降通路間に夫々配置したことを特徴とする並設エレベーター装置。
【請求項２】
一つの昇降路内に複数の乗かごと、これら乗かごと対をなす複数のつり合いおもりとを昇降させるように構成した並設エレベーター装置において、隣接する乗かごのつり合いおもり用の昇降通路を、前記昇降路に形成した乗場乗降口と乗かごを挟んで対向する側に間隔をおいて配置し、かつ前記複数の乗かごの運転を夫々制御する制御装置を前記間隔をおいて配置したつり合いおもり用の昇降通路の間に互いに接近して配置したことを特徴とする並設エレベーター装置。
【請求項３】
乗かごと、つり合いおもりとを昇降させるように構成した昇降空間を複数隣接させた並設エレベーター装置において、前記各つり合いおもりの巾寸法を前記各乗かごの巾寸法よりも狭く形成すると共に、前記各つり合いおもり用の昇降通路を前記各乗かごの巾方向の互いに反対側となる位置に寄せて設置することにより前記各つり合いおもり用の昇降通路間に空間を形成し、この空間内に前記乗かごの運転を制御する制御装置の全部あるいは一部を配置したことを特徴とする並設エレベーター装置。
【発明の詳細な説明】
技術分野
本発明は、一つの昇降路空間内に複数の乗かごを昇降させるように構成した並設エレベーター装置に関する。
背景技術
一つの昇降路空間内に複数の乗かごを昇降させるように構成した並設エレベーター装置は、例えば特開平１−８１７８２号公報等で既に提案されている。
しかし、上記従来技術は、複数の乗かごの昇降を制御する制御装置の設置についての配慮がなされておらず、これら複数の制御装置を昇降路空間内に設置しようとすると、昇降路空間の断面積を増大させなければならないと云う問題があった。
発明の開示
本発明の目的は、乗かごの昇降を制御する制御装置の全部あるいは一部を内部に設置しても昇降路空間の断面積を増大させることのない並設エレベーター装置を提供することにある。
上記目的を達成するために本発明は、乗かごが隣接する側に敷設されたガイドレールの設置空間を利用して、そこに乗かごの運転を制御する制御装置の一部あるいは全部を設置するようにしたのである。
上記のように構成することにより、制御装置を昇降路空間内に設置するための専用の空間を設ける必要がなくなり、したがって、制御装置の昇降路空間内への設置のために、昇降路空間の断面積を増大させる必要はなくなる。
発明を実施するための最良の形態
以下本発明による一実施の形態を第１図〜第３図に基づいて説明する。
本実施の形態による並設エレベーター装置は、一つ、あるいは共通の昇降路１内に二つの乗かご２ａ，２ｂを昇降させた構成である。建築構造物の一角に建築構造物の鉄筋コンクリートの壁によって一つ、あるいは共通の昇降路１が形成され、この昇降路１と各階床を連通する乗場乗降口１ａｅ，１ｂｅが隣接して形成されている。このような昇降路１内に、二つの乗かご２ａ，２ｂを互いに干渉しないように昇降案内させ、かご乗降口２ａｅ，２ｂｅを前記乗場乗降口１ａｅ，１ｂｅに対向させて位置させている。これらの乗かご２ａ，２ｂと対をなすように、つり合いおもり３ａ，３ｂが前記乗かご２ａ，２ｂと干渉しないように、前記乗場乗降口１ａｅ，１ｂｅとは反対側に配置されて昇降案内させられている。これら前記乗かご２ａ，２ｂとつり合いおもり３ａ，３ｂとは、夫々一組のロープ４ａ，４ｂによって吊られている。
一方、前記乗かご２ａ，２ｂとつり合いおもり３ａ，３ｂとは、夫々前記昇降路１内に立設した２組のかご用ガイドレール５ａ，５ｂと２組のおもり用ガイドレール６ａ，６ｂによって昇降移動できるように案内されている。各組のガイドレールは夫々対を成すものである。前記かご用ガイドレール５ａ，５ｂのうち、互いに離れて設置されるかご用ガイドレールは、前記乗場乗降口１ａｅ，１ｂｅに隣接する昇降路１の壁に例えば、ブラケット（図示せず）を介して固定され、互いに接近して設置されるかご用ガイドレールは隣接する乗かご２ａ，２ｂ間に設置された支持手段によって固定される。
一方、おもり用ガイドレール６ａ，６ｂのうち、互いに離れて設置されるおもり用ガイドレールは、前記かご用ガイドレールと同様に、前記乗場乗降口１ａｅ，１ｂｅに隣接する昇降路１の壁に例えば、ブラケット（図示せず）を介して固定され、互いに接近して設置されるおもり用ガイドレールは、例えば前記乗場乗降口１ａｅ，１ｂｅと対向する昇降路１の壁に固定される。尚、おもり用ガイドレール６ａ，６ｂの対向間隔は、かご用ガイドレール５ａ，５ｂの対向間隔より狭い間隔を有しているので、つり合いおもり３ａ，３ｂの夫々が前記乗場乗降口１ａｅ，１ｂｅに隣接する昇降路１の壁側寄りに配置されるように、前記おもり用ガイドレール６ａ，６ｂを設置している。
前記ロープ４ａ，４ｂの一端は、互いに隣接する側のかご用ガイドレール５ａ，５ｂの上端部にブラケット７ａ，７ｂを介して連結され、他端は、下方に延長されて前記乗かご２ａ，２ｂの床下側に軸支された一対の方向転換プーリ８ａ，８ｂを通って昇降路１の壁側に出される。そこから各ロープ４ａ，４ｂの他端は、上方に延長されてかご用ガイドレール５ａ，５ｂの上端部にブラケット９ａ，９ｂを介して軸支された方向転換プーリ１０ａ，１０ｂに巻掛けられる。方向転換プーリ１０ａ，１０ｂに巻掛けられた前記ロープ４ａ，４ｂの他端は、昇降路１の下方に延長されて昇降路１の底部に設置された巻上機１１ａ，１１ｂの駆動プーリ１２ａ，１２ｂに巻掛けられる。駆動プーリ１２ａ，１２ｂに巻掛けられた前記ロープ４ａ，４ｂの他端は、再び昇降路１の上方へ引き回され、昇降路１の上部において、おもり用ガイドレール６ａ，６ｂに軸支された方向転換プーリ１４ａ，１４ｂに巻掛けられ、三たび昇降路１の下方に向って引き回される。下方に引き回された前記ロープ４ａ，４ｂの他端は、つり合いおもり３ａ，３ｂを吊る方向転換プーリ１５ａ，１５ｂに巻掛けられ、三たび上方に延長される。上方に延長された前記ロープ４ａ，４ｂの他端は、対を成すおもり用ガイドレール６ａ，６ｂの反対側の上部に支持されたブラケット１６ａ，１６ｂに固定される。
尚、前記巻上機１１ａ，１１ｂは、駆動プーリ１２ａ，１２ｂと、この駆動プーリ１２ａ，１２ｂを駆動する例えば誘導電動機等の電動機１３ａ，１３ｂと、この電動機１３ａ，１３ｂの回転を制動する制動機等を備えている。
上記構成において、巻上機１１ａ，１１ｂの電動機１３ａ，１３ｂを駆動することにより駆動プーリ１２ａ，１２ｂを回転させ、この駆動プーリ１２ａ，１２ｂに巻掛けた前記ロープ４ａ，４ｂを駆動することにより、前記乗かご２ａ，２ｂとつり合いおもり３ａ，３ｂとは前記かご用ガイドレール５ａ，５ｂ及びおもり用ガイドレール６ａ，６ｂに案内されて逆方向に昇降される。
上記構成の並設エレベーター装置において、隣接エレベーター装置の中間位置で、対向する建築構造物の壁に跨って水平に中間ビーム１７が設置されている。この中間ビーム１７は昇降路１の上下方向に間隔をおいて複数設けられ、互いに隣接する側の前記かご用ガイドレール５ａ，５ｂを支持する支持手段を構成すると共に、各乗かご２ａ，２ｂの昇降通路を区画する部材を構成している。
一方、並設エレベーター装置は、夫々の乗かご２ａ，２ｂの昇降を制御するための制御機器１８ａ，１８ｂと、夫々の乗かご２ａ，２ｂの関連した運行を管理するための管理機器２０とを備えた制御装置を有している。
近年において、この制御装置を例えば、昇降路内に設置することが提案されているが、昇降路１内に制御装置を設置するための空間を確保しなければならず、制御装置を昇降路外に分散して設置しなければならないのが現状である。
しかし、本発明の実施の形態では、前記制御装置の全体あるいは一部を隣接する乗かご２ａ，２ｂの昇降通路の間に設置したのである。具体的には、図面に示すように、乗かご２ａ，２ｂの昇降通路の間には、かご用ガイドレール５ａ，５ｂと、これらを支持する中間ビーム１７とが設置されており、これらかご用ガイドレール５ａ，５ｂ及び中間ビーム１７は昇降路１内において平面的に大きな面積を占有している。そこで、本実施の形態では、制御装置のうち、管理機器２０を前記中間ビーム１７の水平投影面に重なるように支持させている。この管理機器２０は、第３図に示すように、上下に隣接する前記中間ビーム１７間に臨む前記かご用ガイドレール５ｂにブラケット２１を介して支持することにより、中間ビーム１７の水平投影面に重なって配置されることになる。
他方、前記制御機器１８ａ，１８ｂは、乗かご２ａ，２ｂと昇降路壁との空間で、前記隣接するつり合いおもり３ａ，３ｂの間に形成された空間に互いに接近して配置され、前記おもり用ガイドレール６ａ，６ｂにブラケット１９ａ，１９ｂを介して支持させている。
第３図は、昇降路１の一ヶ所における上下に隣接する中間ビーム１７間に管理機器２０を設置したものであるが、複数ヶ所における隣接中間ビーム１７間に管理機器２０や制御機器１８ａ，１８ｂを設置するようにしてもよい。
このように中間ビーム１７の水平投影面に重なる空間を利用して制御装置の一部である管理機器２０を設置し、かつ隣接するつり合いおもり３ａ，３ｂの間に形成された空間に互いに接近して制御機器１８ａ，１８ｂを配置した実施の形態では、昇降路１の外側や昇降路１の内部に、前記制御装置を設置するための専用の空間を確保する必要はなくなるので、昇降路１の断面積を増加させるようなことはない。さらに、制御機器１８ａ，１８ｂを互いに接近させることにより、電源（図示せず）への接続や管理機器２０との接続のための配線引き回しを短くすることができる。
以上の実施の形態は、管理機器２０のみを中間ビーム１７の水平投影面に重なる空間に設置したものであるが、制御装置の全部である制御機器１８ａ，１８ｂ及び管理機器２０を中間ビーム１７の水平投影面に重なる空間に設置してもよく、あるいは、制御機器１８ａ，１８ｂのみを中間ビーム１７の水平投影面に重なる空間に設置してもよい。
また、エレベーター装置の大容量化や高速化に伴い夫々の乗かごの昇降を夫々制御するための制御機器の大型化に対応して管理機器が不要となる場合があるが、このようなエレベーター装置であっても、制御装置の一部あるいは全部を中間ビームの水平投影面に重なるように設置することにより同様な効果が得られる。
さらに、上記実施の形態では、上下に隣接する中間ビーム１７間に臨むかご用ガイドレール５ｂにブラケット２１を介して管理機器２０を支持させた構成であるが、第４図に示すように、上下の中間ビーム１７にブラケット２２を介して、管理機器２０あるいは制御機器１８ａ，１８ｂ、または制御機器１８ａ，１８ｂと管理機器２０を含む全制御装置を支持させるようにしても同様な効果が得られる。
このほか、上記各実施の形態は、制御装置の一部あるいは全部を中間ビーム１７の水平投影面に重なるように設置したものであるが、エレベーター装置の運転のために従来から昇降路１内に設置されていた昇降路内設置機器を、中間ビーム１７の水平投影面に重なるように設置し、これによって空いた空間に制御装置の一部あるいは全部を設置することによって、昇降路１の断面積の増大をなくすようにしてもよい。
さらにまた、上記実施の形態は、昇降路１が建築構造物の鉄筋コンクリートの壁によって区画し、そこに２つの乗かご２ａ，２ｂを並設させた構成であるが、縦材，横材，筋交い等からなる鉄骨で区画された昇降路においても、上記実施の形態を適用することができ、また、乗かごを３つ以上並設した並設エレベーター装置としてもよい。
以上説明したように本発明によれば、乗かごの昇降を制御する制御装置の全部あるいは一部を内部に設置しても昇降路空間の断面積を増大させることのない並設エレベーター装置を得ることができる。
【図面の簡単な説明】
第１図は、本発明による並設エレベーター装置の一実施の形態を示す横断平面図。
第２図は、第１図の横断平面部を含む昇降路内を示す縦断側面図。
第３図は、第１図のＡ−Ａ線に沿う縦断拡大側面図。
第４図は、第３図の変形を示す側面図。
【図１】
0004072342.tif 000002
【図２】
0004072342.tif 000003
【図３】
0004072342.tif 000004
【図４】
0004072342.tif 000005